(57)【要約】【課題】ＬＣＤのガラス面が筐体から露出しているカメラでは、ＬＣＤのガラス面と筐体との間に筐体の反りによって隙間が発生し、内部にごみが進入する。これを防止するためＬＣＤ枠周囲にクッション材を貼り付けていたが、工数が掛かる。【解決手段】デジタルカメラのＬＣＤユニット１０の隅角部近傍に基板に突き当たる脚１３を設け、コイルばね１４などの付勢材を脚１３に装着してＬＣＤユニット１０のガラス面１５と筐体１００とを密着させるようにした。【選択図】　　　　図１
2004120350.tif 000002
【特許請求の範囲】
【請求項１】
デジタルカメラのＬＣＤユニットの背面に基板に突き当たる脚を設け、ＬＣＤユニット前面と筐体との隙間を密着させる付勢部材を前記脚又はその近傍のＬＣＤユニット背面に装着したことを特徴とするデジタルカメラのＬＣＤ装着構造。
【請求項２】
前記付勢部材は、ＬＣＤユニットの脚に装着したコイルばねであることを特徴とする請求項１記載のデジタルカメラのＬＣＤ装着構造。
【請求項３】
前記付勢部材はＬＣＤユニット背面のモールド部から突出し、前記脚の高さより長い樹脂板ばねであることを特徴とする請求項１記載のデジタルカメラのＬＣＤ装着構造。
【発明の詳細な説明】
【０００１】
【発明の属する技術分野】
本発明は、デジタルカメラのＬＣＤ装着構造に関する。
【０００２】
【従来の技術】
デジタルカメラの本体背面側には、液晶モニター（ＬＣＤ）が搭載され、撮影前後の被写体の確認を行っている。従前は、筐体側にＬＣＤを保護する窓が付いていた。近年、コストダウンのため、窓を廃止し、ＬＣＤのガラス面が筐体から露出している機種も出現している。
【０００３】
また、カメラを薄型化するため、スマートメディア等を抜挿するためのカードコネクタをグリップ部に対応する部分に設け、このカードコネクタの横にＬＣＤを配置し、カードコネクタのシールド部材とＬＣＤを支持するフレーム部材を一体的に形成したものがある（例えば、特許文献１参照。）。
【０００４】
このような格別のフレーム部材を用いることなく、ＬＣＤを直接筐体に接するようにしたものがある。ＬＣＤのガラス面が筐体から露出しているカメラにおいては、筐体のＬＣＤ取付部には単に大きな開口が開いている。このような大きな開口を有する筐体では、筐体の成形時に筐体に反りが発生しやすい。筐体に反りが生ずると、ＬＣＤのガラス面と筐体が接する部分に反りによる隙間が発生する。このような隙間があるとカメラの内部にごみが進入すると言う問題がある。また、ＬＣＤガラス面と筐体との間に反りがあると、外観上も見苦しく商品価値を損うと言う問題がある。
【０００５】
ＬＣＤのガラス面が筐体の開口部に露出して周辺が筐体に接するようにしたカメラにおいては、従来、筐体コア側のＬＣＤ枠周囲にクッション材を貼り付け、ＬＣＤと筐体との間の隙間を埋めていた。
【０００６】
【特許文献１】
特開平１１−３３１６６７号公報（４頁右欄３４行〜３６行目）
【０００７】
【発明が解決しようとする課題】
上述のように、ＬＣＤのガラス面が筐体の開口部に露出しているカメラにおいては、筐体の反りによってＬＣＤガラス面と筐体との接触部に隙間が発生する。隙間が発生すると上述のようにカメラ内部にごみが進入したり、商品価値を損うなどの問題がある。これを防止するために従来、筐体コア側のＬＣＤ枠周囲にクッション材を貼り付けて、ＬＣＤと筐体との間の隙間を埋めていたが、クッション材を貼り付けるには、工数が掛かるという問題があった。
【０００８】
本発明はこのような問題点を解決したデジタルカメラのＬＣＤ装着構造を提供することを目的とするものである。
【０００９】
【課題を解決するための手段】
本発明は、上記問題点を解決するためになされたもので、次の技術手段を講じたことを特徴とする。すなわち、本発明は、デジタルカメラのＬＣＤユニットの背面に基板に突き当たる脚を設け、ＬＣＤユニット前面と筐体との隙間を密着させる付勢部材を前記脚又はその近傍のＬＣＤユニット背面に装着したことを特徴とするデジタルカメラのＬＣＤ装着構造である。ここでＬＣＤユニット前面とはＬＣＤを観察するガラス面側を云い、背面とはその反対側（カメラ内部側）の面を云う。
【００１０】
上記デジタルカメラのＬＣＤ装着構造において、前記付勢部材としては、例えば、ＬＣＤユニットの脚に装着したコイルばねとすればよく、また、ＬＣＤユニットの背面のモールド部から突出し、前記脚の高さより長さが長い樹脂板ばねとしてもよい。
【００１１】
本発明では、ＬＣＤユニットを筐体に装着するときに、付勢部材の付勢力によりＬＣＤユニット周縁部と筐体との接触部に隙間が生じないようにＬＣＤのガラスを筐体に押しつけて密閉する。このことによって、ごみがカメラ内に進入するのを防止すると共に、製品カメラの外観品質及び品位の劣化を防止することができる。
【００１２】
【発明の実施の形態】
以下図面を参照して本発明の実施の形態を説明する。
【００１３】
まず、従来のＬＣＤ窓つきのカメラを図５に示した。カメラは前面パネル（筐体）１００ａと後面パネル（筐体）１００とを組合せて一体化するようになっている。従前はカメラ本体の背面側の筐体１００にＬＣＤ窓１０１が設けられ、この窓１０１を通して内部のＬＣＤの画像等を観察するようになっていた。なお、図５中の番号１０２は設定ボタンを示すものである。
【００１４】
図６はＬＣＤ窓１０１のないカメラを示すもので、後面パネル（筐体）１００のＬＣＤガラス面に対応する部分には、大きな開口１０３が開いており、この開口１０３の内側周縁にＬＣＤのガラス面が装着される。
【００１５】
図７はこの大きな開口１０３を設けた後面パネル（筐体）１００を示すもので、このような筐体１００を製造すると、矢印１０４で示すような反りが生じ、特に大きな開口１０３の周辺に反りの大きい部分１０５が現出する。図８はこのような筐体１００にＬＣＤを装着したときにＬＣＤガラス面１５と後面パネル（筐体）１００の開口１０３の周囲に筐体１００の反りに起因する隙間１０６が生ずることを示している。この隙間１０６は従来、筐体１００のコア側のＬＣＤ開口１０３の枠周囲にクッション材を貼り付けて、ＬＣＤのガラス１５と筐体１００との間の隙間１０６を埋めていたが、クッション材を貼り付けるには、工数が掛かるという問題があった。
【００１６】
図１は改善された本発明の実施例のデジタルカメラのＬＣＤ１０の装着構造を示すＬＣＤの背面斜視図である。
【００１７】
ＬＣＤ１０は背面に基板への装着爪１２が３個設けられており、この装着爪１２を基板に係着させることによって基板に固定される。この実施例ではＬＣＤ１０のモールド１１の背面の４隅に脚１３が突設されており、この脚１３に装着されるコイルスプリング１４が組立前の状態で図示されている。コイルスプリング１４は、同様の作用を有する他の形式の付勢材としてもよい。１７はＬＣＤをカメラの電子装置に結合するフレキシブル回路基盤である。なお脚１３の配設数、形状、配設個所は限定されない。有効にＬＣＤ１０の背面周縁部を支持するものであればよい。
【００１８】
図２はＬＣＤ１０が筐体１００と基板１１０との間に介装された状態を示す部分側面図である。ＬＣＤ１０の背面に形成された脚１３にはコイルスプリング１４が装着されている。このコイルスプリング１４は基板１１０に圧着され、ＬＣＤ１０を筐体１００に押しつけるように付勢されている。ＬＣＤ１０のガラス１５の周縁部は筐体１００の開口１０３のコア側周縁部に圧着され、筐体１００のコア側周縁部とＬＣＤガラス１５とが密着し、接触部２１に隙間が生じない。
【００１９】
図３は本発明の別の実施例を示すもので、ＬＣＤ１０の背面の４隅近傍に脚１３を設け、脚１３の近傍に板ばね１６を設けたものである。脚１３の長さより長いもので、ＬＣＤ１０を筐体１００に押し付ける。板ばね１６は例えば、樹脂製とすればよいが樹脂に限定されるものではない。
【００２０】
図４は図３に示す脚１３の近傍を示す部分側面図である。板ばね１６は基板１１０に当接してＬＣＤ１５を筐体１００に押し付けるように付勢され、ＬＣＤ１０のガラス１５の周縁部は筐体１００のコア側周縁部に密着し、その接触部２１に隙間が生じない。
【００２１】
【発明の効果】
本発明のデジタルカメラのＬＣＤ装着構造は以上のように構成されているので筐体開口のコア側周縁にクッション材を貼着必要がなくなり、単に組立により筐体開口周縁とＬＣＤガラス面とを密閉することができるようになった。
【図面の簡単な説明】
【図１】実施例の斜視図である。
【図２】ＬＣＤの取付部の構造を示す側面図である。
【図３】実施例の斜視図である。
【図４】ＬＣＤの取付部の構造を示す側面図である。
【図５】従前の技術を説明する筐体の斜視図である。
【図６】ＬＣＤ開口が開いている筐体の斜視図である。
【図７】反りを説明する筐体の斜視図である。
【図８】隙間を説明する筐体の斜視図である。
【符号の説明】
１０　　ＬＣＤ
１１　　モールド
１２　　装着爪
１３　　脚
１４　　コイルスプリング
１５　　ＬＣＤガラス面
１６　　板ばね
１７　　フレキシブル回路基盤
２１　　接触部
１００　　筐体（後面パネル）
１０１　　ＬＣＤ窓
１０２　　設定ボタン
１０３　　開口
１０４　　矢印
１０５　　反りの大きい部分
１０６　　隙間
１１０　　基板
【図１】
2004120350.tif 000003
【図２】
2004120350.tif 000004
【図３】
2004120350.tif 000005
【図４】
2004120350.tif 000006
【図５】
2004120350.tif 000007
【図６】
2004120350.tif 000008
【図７】
2004120350.tif 000009
【図８】
2004120350.tif 000010